(57)【要約】【課題】本願発明は、高剛性で、特に左右及び前後方向の剛性が大で、更にベッド部のたわみが小さい機械プレスのフレームを提供することを目的とする。【解決手段】本願発明は、リング状の前後の縦板を設け、当該縦板を連結する中央補強縦板を設けるとともに該前後の縦板に補強用縦板を設け、これらを主要構成メンバとしてフレームを構成させる。【選択図】図１
2004209491.tif 000002
【特許請求の範囲】
【請求項１】
外形が略矩形で略矩形の穴が設けられたリング状の前縦板と略同形状の後縦板とをプレス荷重を受ける主強度部材として配備し、前記両主強度部材に一体化された補強縦板を前記両主強度部材の左右位置に配備したことを特徴とした機械プレスのフレーム。
【請求項２】
前記前縦板と前記後縦板のベッド部の内側に夫々前ベッド補強板と後ベッド補強板を配備したことを特徴とする請求項１記載の機械プレスのフレーム。
【請求項３】
前記前縦板と前記後縦板のベッド部に溶接用の穴を設け、前記前縦板と前記後縦板のベッド部の内側に夫々前ベッド補強板と後ベッド補強板を配備し、夫々前記前縦板と前記後縦板とに溶接したことを特徴とする請求項１記載の機械プレスのフレーム。
【請求項４】
外形が略矩形で略矩形の穴が設けられたリング状の前縦板と略同形状の後縦板とをプレス荷重を受ける主強度部材として配備し、前記両主強度部材に一体化された補強縦板を前記両主強度部材の左右位置に配備した下フレームと、外形が略矩形の前縦板と後縦板とをプレス荷重を受ける主強度部材として配備し、前記両主強度部材に一体化された補強縦板を前記両主強度部材の左右位置に配備した上フレームとをタイロッドで締め付けて一体化したことを特徴とする機械プレスのフレーム。
【請求項５】
前記下フレームの前縦板と前記後縦板のベッド部の内側に夫々前ベッド補強板と後ベッド補強板を配備したことを特徴とする請求項４記載の機械プレスのフレーム。
【請求項６】
前記下フレームの前縦板と前記後縦板のベッド部に溶接用の穴を設け、前記前縦板と前記後縦板のベッド部の内側に夫々前ベッド補強板と後ベッド補強板を配備し、夫々前記前縦板と前記後縦板とに溶接したことを特徴とする請求項４記載の機械プレスのフレーム。
【発明の詳細な説明】
【０００１】
【発明の属する技術分野】
本発明は、機械プレスのフレームに関するものである。特に左右方向及び前後方向の剛性が大で、更にベッド部の変形が少ない機械プレスのフレーム関するものである。
【０００２】
【従来の技術】
機械プレスのフレームは、上方部にスライドを昇降させる為の駆動装置あるいは動力伝達装置が設けられ、これらを収容するスペースを確保する関係で、あるいは、素材を供給するためのサイドオープニングの幅を確保する関係でプレス加工の荷重を受ける部材である縦方向の一対の板を接近させて配備することはできない。ところが、ベッド部においてはスパンを短くし、そのたわみを小さくするために、接近させて配備させることが望まれる。
【０００３】
このため、従来の機械プレスのフレームにおいては、前記縦板はフレーム上部の都合に合わせ、ベッド部は上記縦板とは別に設けられるものがあった。（特許文献１の図６を参照）該図６において、ベッド３の下部の一対の縦板（点線で表示されている）の前後方向の距離は、一対のリブ２ｂの前後方向の距離より小さくなっている。このように、前記リブ２ｂと縦板がずれている構造は、荷重を伝達する点からみれば好ましくない。
【０００４】
他の従来例としては、ベッド部において前記縦板を接近させた構造のものもある。（特許文献２の図３参照）該図によれば、一対の補強リブ２ｅが、接近させて配備されている。補強リブ２ｅとメインフレーム２ｂは一直線ではなく、曲がった形状を成している。そして、部分的に厚さが異なっている。このような構造は、荷重伝達の点では優れているものの、平面状の鉄板を溶接して作る物には不向きである。
【０００５】
【特許文献１】
特開２００１-８７８９９
【特許文献２】
特開平８-１７４２９５
【０００６】
【発明が解決しようとする課題】
本願発明は、高剛性で、特に左右及び前後方向の剛性がで、更にベッド部のたわみが小さい機械プレスのフレームを提供することを目的とする。
【０００７】
【課題を解決するための手段】
本願発明は、リング状の前後の縦板を設け、当該縦板を連結する中央補強縦板を設けるとともに該前後の縦板に補強用縦板を設け、これらを主要構成メンバとしてフレームを構成させる。更に詳しく言えば、請求項１の発明は、外形が略矩形で略矩形の穴が設けられたリング状の前縦板と略同形状の後縦板とをプレス荷重を受ける主強度部材として配備し、前記両主強度部材に一体化された補強縦板を前記両主強度部材の左右位置に配備した。請求項２の発明は請求項１に加えて、前記前縦板と前記後縦板のベッド部の内側に夫々前ベッド補強板と後ベッド補強板を配備した。請求項３の発明は、請求項１に加えて、前記前縦板と前記後縦板のベッド部に溶接用の穴を設け、前記前縦板と前記後縦板のベッド部の内側に夫々前ベッド補強板と後ベッド補強板を配備し、夫々前記前縦板と前記後縦板とに溶接した。請求項４の発明は、外形が略矩形で略矩形の穴が設けられたリング状の前縦板と略同形状の後縦板とをプレス荷重を受ける主強度部材として配備し、前記両主強度部材に一体化された補強縦板を前記両主強度部材の左右位置に配備した下フレームと、外形が略矩形の前縦板と後縦板とをプレス荷重を受ける主強度部材として配備し、前記両主強度部材に一体化された補強縦板を前記両主強度部材の左右位置に配備した上フレームとをタイロッドで締め付けて一体化した。請求項５の発明は、請求項４に加えて、前記下フレームの前縦板と前記後縦板のベッド部の内側に夫々前ベッド補強板と後ベッド補強板を配備した。請求項６の発明は、請求項４に加えて、前記下フレームの前縦板と前記後縦板のベッド部に溶接用の穴を設け、前記前縦板と前記後縦板のベッド部の内側に夫々前ベッド補強板と後ベッド補強板を配備し、夫々前記前縦板と前記後縦板とに溶接した。
【０００８】
【発明の実施の形態】
図１、図２及び図３を用いて、第１実施例について説明する。図３は、図１、図２のフレームにクランク軸２３等の部材を組み込んだもので、図１、図２のフレームを用いた機械プレスを示す。
【０００９】
前縦板３は、リング状の鉄板である。即ち、前縦板は略矩形の鉄板に略矩形の穴が開けられてリング状になっている。後縦板４も、前縦板３と同じ寸法形状の鉄板である。前縦板３と後縦板４は、プレス荷重を受ける主強度部材である。
【００１０】
前縦板３と後縦板４は、中央補強縦板５で連結され、前縦板３、後縦板４及び中央補強縦板５で方形の枠が形成される。
【００１１】
前縦板３の左右前面に補強縦板が設けられている。即ち、前内補強縦板６と前外補強縦板７が、前縦板３に溶接されている。これら縦板は、前縦板３の前後方向の剛性を増すために設けられている。
【００１２】
同様にして、後縦板４には後内補強板８と後外補強板９とが設けられている。これらの補強用縦板は、後縦板４の前後方向の剛性を増すために設けられている。
【００１３】
前縦板３、前内補強縦板６及び前外補強縦板７は、前上補強横板１０と前下強横板１３及び底板２０によって連結されている。即ち、前縦板３、前内補強縦板６及び前外補強縦板７に前上補強横板１０、前下強横板１３及び底板２０が溶接され、これらの板は一体化されている。
【００１４】
同様にして、後縦板４、後内補強縦板８及び後外補強縦板９は、後上補強横板１２と後下強横板１５及び底板によって連結されている。即ち、後縦板４、後内補強縦板８及び後外補強縦板９に後上補強横板１２、後下強横板１５及び底板が溶接され、これらの板は一体化されている。
【００１５】
前縦板３、後縦板４及び中央補強縦板５は、中央上補強横板１１、中央下補強横板１４及びベッド上板１６によって連結されている。即ち、前縦板３、後縦板４及び中央補強縦板５に中央上補強横板１１、中央下補強横板１４及びベッド上板１６が溶接され、これらの板は一体化されている。
【００１６】
上記説明は、フレーム２の右側部分の説明で在るが、当該説明は左側部分の説明にもなる。即ち、当該フレーム２は左右対称になっている。
【００１７】
後内補強縦板８、８には、カバー板１９が溶接され、略直方体の空間が形成される。
【００１８】
前縦板３のベッド部に略矩形の穴３ａが開けられている。該前縦板穴３ａを覆う様に前縦板３の内側に前ベッド補強板１７が設けられている。前ベッド補強板１７と前縦板３は、前縦板穴３ａの部分で溶接され、結合されている。当該溶接は、該前縦板穴３ａの全周囲に亙って行われるので、前縦板３と前ベッド補強板１７とが完全に一体化される。本実施例においては前縦板３に略矩形の穴３ａが明けられているが、形状は矩形でなくとも良い。例えば、円形の穴でも良く、複数明けても良い。更に、場合によっては、穴はなくても良い。
【００１９】
後縦板４のベッド部に略矩形の穴４ａが開けられている。該後縦板穴４ａを覆う様に後縦板４の内側に後ベッド補強板１８が設けられている。後ベッド補強板１８と後縦板４は、後縦板穴４ａの部分で溶接され、結合されている。当該溶接は、該後縦板穴４ａの全周囲に亙って行われるので、後縦板４と後ベッド補強板１８とが完全に一体化される。該後縦板穴４ａについては、上記略矩形の穴３ａに関しての有無、形状及び個数について同じことが言える。
【００２０】
前ベッド補強板１７と後ベッド補強板１８は、ベッド上板１６にも溶接されているから、プレス荷重を受ける。この場合、前ベッド補強板１７と後ベッド補強板１８との距離が、前縦板３と後縦板４とのそれより小さい、即ち両者のスパンが短いので、前ベッド補強板１７と後ベッド補強板１８の存在によりベッド上板１６の変形量が小さくなる。結局、ベッド部の剛性が増し、高精度化される。
【００２１】
図３において、フレーム２にクランク軸２３等が組み込まれ、機械プレス１になる。フレーム２の軸受部３ｂがクランク軸２３の前側の軸受になる。
【００２２】
フレーム２にスライド２６がスライドガイド２７に案内されて昇降自在に組み込まれている。フレーム２のベッド部に、スライド２６に対向させてボルスタ２８が固定されている。
【００２３】
クランク軸２３の偏心部は、滑り案内機構２１に係合している。該滑り案内機構２１によって、クランク軸２３の回転運動がスライド２６の昇降運動に変換される。
【００２４】
クランク軸２３は、モータ（図示せず）、フライホイール３１、ピニオンギヤー２５、メーンギヤー２４等によって回転駆動される。これらの駆動機構は、従来のものと変わりない。
【００２５】
スライド調整を行うアジャスト部材３０の上部に滑り案内機構が形成され、下部に位置調整機構が形成されている。位置調整機構のねじ機構によって、アジャスト部材３０がスライド２６に対して進退する。該進退によって、スライド調整が行われる。
【００２６】
フレーム２の下端部に防振具２９が装着されている。機械プレス１の振動は防振具２９によって遮断される。
【００２７】
次に第２実施例について図４、図５及び図６を用いて説明する。第２実施例は大形の機械プレスに適用される。機械プレスの陸上運搬や機械加工の都合から、フレームは下フレーム１０１と上フレーム１０２とで構成される。
【００２８】
下フレーム１０１は、前記第１実施例のフレーム２と略同じである。下フレーム１０１の上面が上フレーム１０２の下面と連結される関係で、下フレーム１０１とフレーム２の上部の形状が異なる。
【００２９】
上フレーム１０２は、クランク軸、ギヤートレイン等を収納する部分である。前縦板１０３’と後縦板１０４’が中央補強縦板１０５’で連結されている。
【００３０】
前縦板１０３’に前内補強縦板１０６’と前外補強縦板１０７’が設けられている。即ち、前縦板１０３’に前内補強縦板１０６’と前外補強縦板１０７’が溶接され、これらの板は一体化されている。前内補強縦板１０６’と前外補強縦板１０７’は、前縦板１０３’の前後方向の剛性を増すために設けられている。後縦板１０４’にも同様の補強縦板が設けられている。
【００３１】
前縦板１０３’、前内補強縦板１０６’及び前外補強縦板１０７’に補強横板１２１が溶接され、これらの板は一体化されている。
【００３２】
中央補強縦板１０５’、前縦板１０３’及び後縦板１０４’に補強横板１２２が溶接され、これらの板は一体化されている。
【００３３】
中央補強縦板１０５’と前縦板１０３’に断面がＬ形の板材が溶接され、後述のタイロッド１１８を案内し、収納するタイロッド室１２３が設けられている。同様にして、中央補強縦板１０５’と後縦板１０４’に断面がＬ形の板材が溶接され、後述のタイロッド１１８を案内し、収納するタイロッド室１２３が設けられている。
【００３４】
上記説明は、上フレーム１０２の右側部に付いての説明であるが、上フレーム１０２は左右対称のため、上記説明は上フレーム１０２の左側部分に付いても適用できる。
【００３５】
前縦板１０３’にクランク軸の前側の軸受部１０３ｂ’が設けられている。この軸受１０３’ｂは、第1実施例の軸受部３ｂに相当する。
【００３６】
下フレーム１０１は、前述の通り第1実施例のフレーム２に良く似ている。各板材の配置はほぼ同じである。
【００３７】
前縦板１０３と後縦板１０４は外形が略矩形で、略矩形の穴が明けられている。軸受部３ｂが無い、上部の円弧状の面取りが無いことを除けば、前縦板１０３と後縦板１０４は夫々前縦板３と後縦板４に同じである。
【００３８】
前縦板１０３と後縦板１０４は中央補強縦板１０５で連結されている。前縦板１０３に前内補強縦板１０６と前外補強縦板１０７とが溶接され、これらの板は一体化されている。同様にして、後縦板１０４に後内補強縦板１０８と後外補強縦板１０９とが溶接され、これらの板は一体化されている。前内補強縦板１０６と前外補強縦板１０７は、前縦板１０３の前後方向の剛性を増し、後内補強縦板１０８と後外補強縦板１０９は、後縦板１０４の前後方向の剛性を増す。
【００３９】
前内補強縦板１０６と前外補強縦板１０７に、前上補強横板１１０、前下補強横板１１３及び底板１２０が溶接され、これらの板は一体化されている。同様にして、後内補強縦板１０８と後外補強縦板１０９に、中央上補強横板１１１及びベッド上板１１６が溶接され、これらの板は一体化されている。
【００４０】
前縦板１０３と中央補強縦板１０５にナット１２6が溶接されている。同様にして後縦板１０４と中央補強縦板１０５にナット１２6が溶接されている。これらのナットには、下フレーム１０１に上フレーム１０２を締め付けるためのタイロッド１２４がねじ込まれる。
【００４１】
上記説明は、下フレーム１０１の右側部の構造についてされているが、下フレーム１０１は左右対称であるので、下フレーム１０１の左側部もこれと同じ構造になっている。
【００４２】
前縦板１０３と後縦板１０４のベッド部には、第1実施例と同様に、夫々略矩形の穴１０３ａ，１０４ａが明けられている。これらの穴の内側には、第1実施例と同様に前ベッド補強板１１７、後ベッド補強板１１８が配備され、これらの板は溶接され一体化されている。
【００４３】
上フレーム１０２は下フレーム１０１の上に載せられ、タイロッド１２４とナット１２５とによって締め付けられ、一体化され、機械プレスのフレームになる。
【００４４】
【発明の効果】
本願発明によれば、機械プレスのフレームを構成する各種部材の配置を合目的に配備したため、剛性の高いフレームが得られる。
【図面の簡単な説明】
【図１】第１実施例の右前方斜視図
【図２】第１実施例の一部断面の右側面図
【図３】第１実施例のクランク軸等を組み込んだ一部断面正面図
【図４】第２実施例の右前方斜視図
【図５】第１実施例の一部断面の左側面図
【図６】第２実施例の組み立て説明図
【符号の説明】
１は機械プレス、２はフレーム、３は前縦板、３ａは前縦板穴、３ｂは軸受部、４は後縦板、４ａは後縦板穴、５は中央補強縦板、６は前内補強縦板、７は前外補強縦板、８は後内補強縦板、９は後外補強縦板、１０は前上補強横板、１１は中央上補強横板、１２は後上補強横板、１３は前下補強横板、１４は中央下補強横板、１５は後下補強横板、１６はベッド上板、１６ａはベッド上板穴、１７は前ベッド補強板、１８は後ベッド補強板、１９はカバー板、２０は底板、２１は滑り案内機構、２２は位置調整機構、２３はクランク軸、２４はネーンギヤー、２５はピニオンギヤー、２６はスライド、２７はスライドガイド、２８はボルスタ、２９は防振具、３０はアジャスト部材、３１はフライホイール、３２は矩形の穴、１０１下フレーム、１０２上フレーム、１０３は前縦板、１０３’は前縦板、１０３ａは前縦板穴、１０３’ｂは軸受部、１０４は後縦板、１０４’は後縦板、１０５は中央補強縦板、１０６は前内補強縦板、１０６’は前内補強縦板１０７は前外補強縦板、１０８は後内補強縦板、１０９は後外補強縦板、１１０は前上補強横板、１１１は中央上補強横板、１１２は後上補強横板、１１３は前下補強横板、１１６はベッド上板、１１７は前ベッド補強板、１１８は後ベッド補強板、１１９はカバー板、１２０は底板、１２１は補強横板、１２２は補強横板、１２３はタイロッド室、１２４はタイロッド、１２５はナット、１２６はナット、１３２は矩形の穴である。
【図１】
2004209491.tif 000003
【図２】
2004209491.tif 000004
【図３】
2004209491.tif 000005
【図４】
2004209491.tif 000006
【図５】
2004209491.tif 000007
【図６】
2004209491.tif 000008
【手続補正書】
【提出日】平成15年2月5日(2003.2.5)
【手続補正１】
【補正対象書類名】明細書
【補正対象項目名】０００６
【補正方法】変更
【補正の内容】
【０００６】
【発明が解決しようとする課題】
本願発明は、高剛性で、特に左右及び前後方向の剛性が大で、更にベッド部のたわみが小さい機械プレスのフレームを提供することを目的とする。


【手続補正２】
【補正対象書類名】明細書
【補正対象項目名】符号の説明
【補正方法】変更
【補正の内容】
【符号の説明】
１は機械プレス、２はフレーム、３は前縦板、３ａは前縦板穴、３ｂは軸受部、４は後縦板、４ａは後縦板穴、５は中央補強縦板、６は前内補強縦板、７は前外補強縦板、８は後内補強縦板、９は後外補強縦板、１０は前上補強横板、１１は中央上補強横板、１２は後上補強横板、１３は前下補強横板、１４は中央下補強横板、１５は後下補強横板、１６はベッド上板、１６ａはベッド上板穴、１７は前ベッド補強板、１８は後ベッド補強板、１９はカバー板、２０は底板、２１は滑り案内機構、２２は位置調整機構、２３はクランク軸、２４はメーンギヤー、２５はピニオンギヤー、２６はスライド、２７はスライドガイド、２８はボルスタ、２９は防振具、３０はアジャスト部材、３１はフライホイール、３２は矩形の穴、１０１下フレーム、１０２上フレーム、１０３は前縦板、１０３'は前縦板、１０３ａは前縦板穴、１０３'ｂは軸受部、１０４は後縦板、１０４'は後縦板、１０５は中央補強縦板、１０６は前内補強縦板、１０６'は前内補強縦板１０７は前外補強縦板、１０８は後内補強縦板、１０９は後外補強縦板、１１０は前上補強横板、１１１は中央上補強横板、１１２は後上補強横板、１１３は前下補強横板、１１６はベッド上板、１１７は前ベッド補強板、１１８は後ベッド補強板、１１９はカバー板、１２０は底板、１２１は補強横板、１２２は補強横板、１２３はタイロッド室、１２４はタイロッド、１２５はナット、１２６はナット、１３２は矩形の穴である。